(57)【要約】【課題】移動動線を短くするとともに、他の移動動線との交わりを少なくし、廃棄物の臭気が居住部分へ発散及び充満することの防止できる集合宿泊施設を提供する。【解決手段】本発明の集合宿泊施設は、上下に隣り合う上階部及び下階部と、上階部から下階部に通じる階段室と、を備える。上階部及び下階部には、共通の壁を介して階段室と隣接された廃棄物処理室が設けられている。【選択図】図１
2016183518.tif 000002
【特許請求の範囲】
【請求項１】
上下に隣り合う上階部及び下階部と、
前記上階部から前記下階部に通じる階段室と、を備え、
前記上階部及び下階部には、共通の壁を介して前記階段室と隣接された廃棄物処理室が設けられている、集合宿泊施設。
【請求項２】
前記廃棄物処理室には、前記階段室から出入りする仕切りが設けられている、請求項１に記載の集合宿泊施設。
【請求項３】
前記上階部に設けられた廃棄物処理室と、前記下階部に設けられた廃棄物処理室とは、上下に重複する位置に配置されている、請求項１又は２に記載の集合宿泊施設。
【請求項４】
前記廃棄物処理室は、前記仕切りを有する洗濯室と、該洗濯室の奥側に設けられた廃棄物置き場と、を備える、請求項１〜３の何れかに記載の集合宿泊施設。
【請求項５】
前記洗濯室と、前記廃棄物置き場との間には、仕切りが設けられている、請求項１〜４の何れかに記載の集合宿泊施設。
【請求項６】
上下に隣り合う上階部及び下階部と、
前記上階部から前記下階部に通じる屋外側の外部階段と、を備え、
前記上階部及び下階部には、共通の壁を介して前記外部階段と隣接された廃棄物処理室が設けられている、集合宿泊施設。
【請求項７】
前記廃棄物処理室には、前記外部階段から出入りする仕切りが設けられている、請求項６に記載の集合宿泊施設。
【請求項８】
前記上階部に設けられた廃棄物処理室と、前記下階部に設けられた廃棄物処理室とは、上下に重複する位置に配置されている、請求項６又は７に記載の集合宿泊施設。
【請求項９】
前記廃棄物処理室は、前記仕切りを有する洗濯室と、該洗濯室の奥側に設けられた廃棄物置き場と、を備える、請求項６〜８の何れかに記載の集合宿泊施設。
【請求項１０】
前記洗濯室と、前記廃棄物置き場との間には、仕切りが設けられている、請求項６〜９の何れかに記載の集合宿泊施設。
【請求項１１】
前記集合宿泊施設は、福祉施設、高齢者施設、集合住宅、社員寮、ビジネスホテル又は病院である、請求項１〜１０の何れかに記載の集合宿泊施設。
【発明の詳細な説明】
【技術分野】
【０００１】
本発明は、複数の居室の一角に廃棄物処理室を備えた集合宿泊施設に関する。
【背景技術】
【０００２】
従来より、例えば、集合住宅、福祉施設、高齢者施設、病院、社員寮及びビジネスホテル等の複数の居室を備える集合宿泊施設が広く利用されている（例えば、特開２０１２−２６１８５号公報（特許文献１）。集合宿泊施設には、居住者が廃棄したゴミや汚物等の廃棄物を処理するために、施設の管理者が使用するための廃棄物処理室が設けられている。
【０００３】
集合宿泊施設は、上階部及び下階部を有し、該上階部及び下階部の一角に廃棄物処理室が配置されている。また、福祉施設、高齢者施設等の集合宿泊施設では、廃棄物の種類によって、例えば、おむつや、衣服に付いた汚物等を予洗いするために、廃棄物処理室に洗濯室が設けられている場合がある。
【０００４】
この種の集合宿泊施設においては、上階部の廃棄物処理室から下階部の廃棄物処理室へ廃棄物を運ぶための階段室が設けられている。
【０００５】
集合宿泊施設の管理者が廃棄物を処理する場合、管理者は、まず、上階部の廃棄物処理室から階段室を通って下階部の廃棄物処理室に廃棄物を運ぶ。そして、管理者は、最下階の廃棄物処理室で廃棄物を纏めた後、例えば、最下階の廃棄物処理室に設けられた扉から廃棄物を屋外に搬出するようにしている。
【先行技術文献】
【特許文献】
【０００６】
【特許文献１】特開２０１２−２６１８５号公報
【発明の概要】
【発明が解決しようとする課題】
【０００７】
しかしながら、上記構成の集合宿泊施設では、廃棄物処理室が、階段室から離れて配置されていると、廃棄物を処理する際の移動動線が長くなるとともに、他の移動動線との交わりが多くなり、廃棄物の臭気が居住部分へ発散及び充満される、といった問題があった。
【０００８】
そこで、本発明は、斯かる実情に鑑み、廃棄物を処理する際の移動動線を短くするとともに、他の移動動線との交わりを少なくし、廃棄物の臭気が居住部分へ発散及び充満することを防止できる集合宿泊施設を提供することを目的とする。
【課題を解決するための手段】
【０００９】
本発明に係る集合宿泊施設は、上下に隣り合う上階部及び下階部と、前記上階部から前記下階部に通じる階段室と、を備え、前記上階部及び下階部には、共通の壁を介して前記階段室と隣接された廃棄物処理室が設けられている、ことを特徴とする。
【００１０】
上記構成の集合宿泊施設によれば、上階部及び下階部の廃棄物処理室と階段室との距離が最短となるように配置されるため、廃棄物を処理する際の移動動線を短くするとともに、他の移動動線との交わりを少なくでき、廃棄物の臭気が上階部及び下階部における居住部分へ発散及び充満されることを防止できる。
【００１１】
本発明の一態様として、前記廃棄物処理室には、前記階段室から出入りする仕切りが設けられているのが好ましい。
【００１２】
上記構成の集合宿泊施設によれば、廃棄物処理室には、階段室から出入りする仕切りが設けられているため、廃棄物処理室内の廃棄物の臭気が、階段室や居住部分へ発散及び充満することをさらに防止できる。
【００１３】
本発明の他態様として、前記上階部に設けられた廃棄物処理室と、前記下階部に設けられた廃棄物処理室とは、上下に重複する位置に配置されているのが好ましい。
【００１４】
上記構成の集合宿泊施設によれば、上階部の廃棄物処理室と下階部の廃棄物処理室との距離が最短となるように配置されるため、廃棄物を処理する際の移動動線を短くするとともに、他の移動動線との交わりを少なくでき、廃棄物の臭気が居住部分へ発散及び充満することをさらにより一層防止できる。また、廃棄物処理室の設計レイアウトが容易となる。
【００１５】
本発明の他態様として、前記廃棄物処理室は、前記仕切りを有する洗濯室と、該洗濯室の奥側に設けられた廃棄物置き場と、を備えるのが好ましい。
【００１６】
上記構成によれば、廃棄される廃棄物の種類によって、例えば、おむつや、汚物の付着した衣服等は、階段室から仕切りを有する洗濯室に搬出されて予洗いされ、ゴミ等の他の廃棄物とともに廃棄物置き場に運ばれる。このため、廃棄物処理室内の廃棄物の臭気が、階段室や居住部分へ発散及び充満することをより一層防止できるとともに、廃棄物処理室内が汚染されるのを防ぐことができる。
【００１７】
本発明のさらに他の態様として、前記洗濯室と、前記廃棄物置き場との間には、仕切りが設けられているのが好ましい。
【００１８】
上記構成によれば、洗濯室と廃棄物置き場との間に設けられた仕切りによって、廃棄物置き場に搬出された廃棄物の臭気が、洗濯室や、階段室及び居住部分へ発散及び充満することをさらにより一層防止できるとともに、廃棄物が廃棄物処理室の外から視認されにくくなる。
【００１９】
本発明のさらに別の態様として、上下に隣り合う上階部及び下階部と、前記上階部から前記下階部に通じる屋外側の外部階段と、を備え、前記上階部及び下階部には、共通の壁を介して前記外部階段と隣接された廃棄物処理室が設けられていることを特徴とする。
【００２０】
上記構成の集合宿泊施設によれば、廃棄物処理室が、共通の壁を介して外部階段と隣接して配置されるため、外部階段と上階部及び下階部の廃棄物処理室との距離が最短となるように配置されることができ、廃棄物を処理する際の移動動線を短くするとともに、他の移動動線との交わりを少なくでき、廃棄物の臭気が居住部分へ発散及び充満することを防止できる。
【００２１】
本発明のさらに別の態様として、前記廃棄物処理室には、前記外部階段から出入りする仕切りが設けられているのが好ましい。
【００２２】
上記構成によれば、廃棄物処理室に設けられた仕切りによって、廃棄物処理室内の廃棄物の臭気が、居住部分へ発散及び充満することをさらに防止できる。
【００２３】
本発明のさらに別の態様として、前記上階部に設けられた廃棄物処理室と、前記下階部に設けられた廃棄物処理室とは、上下に重複する位置に配置されているのが好ましい。
【００２４】
上記構成によれば、上階部の廃棄物処理室と下階部の廃棄物処理室との距離が最短となるように配置されることができ、廃棄物を処理する際の移動動線を短くするとともに、他の移動動線との交わりを少なくでき、廃棄物の臭気が居住部分へ発散及び充満することをさらにより一層防止できる。また、廃棄物処理室の設計レイアウトが容易となる。
【００２５】
本発明のさらに別の態様として、前記廃棄物処理室は、前記仕切りを有する洗濯室と、該洗濯室の奥側に設けられた廃棄物置き場と、を備えるのが好ましい。
【００２６】
上記構成によれば、廃棄される廃棄物の種類によって、例えば、おむつや、汚物の付着した衣服等は、仕切りを有する洗濯室に運ばれて予洗いされ、ゴミ等の他の廃棄物とともに廃棄物置き場に運ばれるため、廃棄物処理室内の廃棄物の臭気が、外部階段や居住部分へ発散及び充満することをより一層防止できるとともに、廃棄物処理室内が汚染されるのを防ぐことができる。
【００２７】
本発明のさらに別の態様として、前記洗濯室と、前記廃棄物置き場との間には、仕切りが設けられているのが好ましい。
【００２８】
上記構成によれば、洗濯室と廃棄物置き場との間に設けられた仕切りによって、廃棄物置き場に運ばれた廃棄物の臭気が、洗濯室や居住部分へ発散及び充満することをさらにより一層防止できるとともに、廃棄物が廃棄物処理室の外から視認されにくくなる。
【００２９】
本発明のさらに別の態様として、前記集合宿泊施設は、福祉施設、高齢者施設、集合住宅、社員寮、ビジネスホテル又は病院であるのが好ましい。
【００３０】
上記構成によれば、福祉施設、高齢者施設、集合住宅、社員寮、ビジネスホテル又は病院等の多様な建物に、上記構成の廃棄物処理室を適用することができ、汎用性が高まる。
【発明の効果】
【００３１】
以上のように、本発明の集合宿泊施設によれば、廃棄物を処理する際の移動動線を短くするとともに、他の移動動線との交わりを少なくし、廃棄物の臭気が居住部分へ発散及び充満することを防止できる、といった優れた効果を奏し得る。
【図面の簡単な説明】
【００３２】
【図１】本発明の第一の実施形態に係る集合宿泊施設の二階部分の概略を示す平面図である。
【図２】本発明の第一の実施形態に係る集合宿泊施設の一階部分の概略を示す平面図である。
【図３】本発明の第二の実施形態に係る集合宿泊施設の二階部分の概略を示す平面図である。
【図４】本発明の第二の実施形態に係る集合宿泊施設の一階部分の概略を示す平面図である。
【発明を実施するための形態】
【００３３】
（第一の実施形態）
以下、本発明の第一の実施形態に係る集合宿泊施設の概略について、添付図面を参照して説明する。
【００３４】
本実施形態に係る集合宿泊施設は、例えば、福祉施設、高齢者施設、集合住宅、社員寮、ビジネスホテル又は病院等の複数の居室を備える建物の一角に、廃棄物処理室が設けられているものである。
【００３５】
本実施形態に係る集合宿泊施設において、廃棄物処理室は、集合宿泊施設の管理者が、居住者の廃棄した汚物、ごみ、生ごみ等の廃棄物を処理するために使用することを前提としている。なお、本実施形態に係る廃棄物処理室は、汚物処理室であるが、これに限定されるものではない。
【００３６】
本実施形態に係る集合宿泊施設は、上下に隣り合う上階部及び下階部と、上階部から下階部に通じる階段室と、を備える。上階部及び下階部には、共通の壁を介して階段室と隣接された廃棄物処理室が設けられている。
【００３７】
図１及び図２に示すように、本実施形態において、集合宿泊施設は、上下に隣り合う二階部１００（図１を参照のこと）及び一階部２００（図２を参照のこと）と、二階部１００から一階部２００に通じる階段室１０，２０（図１及び図２を参照のこと）と、を備える。二階部１００及び一階部２００には、共通の壁Ｗ１を介して階段室１０，２０と隣接された廃棄物処理室１１，２１が設けられている。
【００３８】
階段室１０，２０には、廃棄物処理室１１，２１の側に、仕切り１０Ｐ，２０Ｐが設けられている。本実施形態において、仕切り１０Ｐ，２０Ｐは、引き戸である。
【００３９】
廃棄物処理室１１，２１には、階段室１０，２０から出入りする仕切り１１Ｐ，２１Ｐが設けられている。本実施形態において、仕切り１１Ｐ，２１Ｐは、引き戸である。
【００４０】
本実施形態において、上階部（二階部）１００に設けられた廃棄物処理室１１と、下階部（一階部）２００に設けられた廃棄物処理室２１とは、上下に重複する位置に配置されている。
【００４１】
廃棄物処理室１１，２１は、仕切り１１Ｐ，２１Ｐを有する洗濯室１２，２２と、該洗濯室１２，２２の奥側に設けられた廃棄物置き場１３，２３と、を備える。
【００４２】
本実施形態において、洗濯室１２及び２２には、洗濯機１２ａ，１２ａ及び２２ａ，２２ａと、例えば、おむつや汚物の付着した衣服等を予洗いするための予洗い台１２ｂ及び２２ｂ等が設けられている。
【００４３】
本実施形態において、廃棄物置き場１３，２３には、洗濯機１３ａ，２３ａ及び洗い台１３ｂ，２３ｂ等が設けられている。
【００４４】
一階に設けられた廃棄物置き場２３には、同室内から屋外に通じる扉Ｄが設けられている。後述するように、各階で回収された廃棄物は、一階に設けられた廃棄物置き場２３に集められ、同室内から屋外に通じる扉Ｄから室外に搬出される。
【００４５】
本実施形態において、洗濯室１２及び２２と、廃棄物置き場１３及び２３との間には、仕切り１４，２４が設けられている。
【００４６】
また、本実施形態においては、図１に示すように、二階部１００には、階段室１０と共通の壁を介して、収納庫３０と、収納庫３０に隣接されたトイレ３１と、が設けられている。収納庫３０には、仕切り３０Ｐが設けられているとともに、トイレ３１には、仕切り３１Ｐが設けられている。本実施形態において、収納庫３０及びトイレ３１は、共用スペースとしての廊下Ｓに隣接されて配置されている。
【００４７】
さらに、本実施形態においては、図１に示すように、廃棄物処理室１１は、壁Ｗ１と反対側の壁Ｗ２を介して、エレベータ３２を備える。廃棄物処理室１１及びエレベータ３２は、廊下Ｓに隣接して配置されている。
【００４８】
本実施形態においては、図２に示すように、一階部２００には、階段室２０と共通の壁を介して、収納庫３０と、収納庫３０に隣接されたトイレ３１と、が設けられている。なお、収納庫３０及びトイレ３１の構成については二階部１００と同様のため、同一の参照符号を付して説明を繰り返さない。
【００４９】
また、本実施形態においては、図２に示すように、廃棄物処理室２１は、壁Ｗ１と反対側の壁Ｗ２を介してエレベータ３２を備える。廃棄物処理室２１及びエレベータ３２は、廊下Ｓに隣接して配置されている。
【００５０】
また、一階部２００には、階段室２０の収納庫３０及びトイレ３１と反対側には、ポンプ室３３が隣接して配置されている。ポンプ室３３には、仕切り３３Ｐが設けられている。
【００５１】
本実施形態において、二階部１００の居室や共用スペースから廃棄物処理室１１に回収された廃棄物は、廃棄される廃棄物の種類によって、例えば、おむつや、汚物の付着した衣服等は、まず、洗濯室１２に運ばれて予洗いされ、予洗いの必要のないゴミ、生ごみ等の他の廃棄物とともに、廃棄物置き場１３に運ばれて一時保管される。
【００５２】
また、一階部２００の居室や共用スペースから廃棄物処理室２１に回収された廃棄物は、二階部１００と同様にして、洗濯室２２及び廃棄物置き場２３に運ばれて一時保管される。
【００５３】
そして、集合宿泊施設の管理者が廃棄物を処理する場合、廃棄物置き場１３に置かれていた廃棄物を、図１に示す矢印の方向に、洗濯室１２の仕切り１１Ｐを開けて運び出し、一階部２００に通じる階段室１０，２０を通って、一階部２００の廃棄物処理室２１に回収する。
【００５４】
そして、廃棄物処理室２１に回収された廃棄物は、廃棄物置き場２３に保管されていた廃棄物と一緒に、廃棄物置き場２３に設けられた扉Ｄから屋外に運ばれて処理される。
【００５５】
以上のように、本実施形態に係る集合宿泊施設によれば、階段室１０，２０と廃棄物処理室１１，２１との距離が最短となるように配置されることができ、廃棄物を処理する際の移動動線を短くするとともに、他の移動動線との交わりを少なくでき、廃棄物の臭気が居住部分へ発散及び充満することを防止できる。
【００５６】
また、廃棄物処理室１１，２１に設けられた仕切り１１Ｐ，２２Ｐによって、廃棄物処理室１１，２１内の廃棄物の臭気が、階段室や居住部分へ発散及び充満することをさらに防止できる。
【００５７】
また、上階部（二階部）１００の廃棄物処理室１１と、下階部（一階部）２００の廃棄物処理室２１とが、上下に重複する位置に配置されていることで、廃棄物処理室１１と廃棄物処理室２１との距離が最短となるように配置されることができ、廃棄物を処理する際の移動動線を短くするとともに、他の移動動線との交わりを少なくでき、廃棄物の臭気が居住部分へ発散及び充満することをさらにより一層防止できる。また、廃棄物処理室１１，２１の設計レイアウトが容易となる。
【００５８】
また、廃棄される廃棄物の種類によって、例えば、おむつや、汚物の付着した衣服等は、階段室１０，２０から仕切り１１Ｐ，２１Ｐを有する洗濯室１２，２２に運ばれて予洗いされ、ゴミ等の他の廃棄物とともに廃棄物置き場１３，２３に運ばれるため、廃棄物処理室１１，２１内の廃棄物の臭気が、階段室１０，２０や居住部分へ発散及び充満することをより一層防止できるとともに、廃棄物処理室１１，２１内が汚染されることを防止することができる。
【００５９】
また、洗濯室１２，２２と廃棄物置き場１３，２３との間に設けられた仕切り１４，２４によって、廃棄物置き場１３，２３に運ばれた廃棄物の臭気が、洗濯室１２，２２や、階段室１０，２０及び居住部分へ発散及び充満することをさらにより一層防止できるとともに、廃棄物が廃棄物処理室１１，２１の外から視認されにくくなる。
【００６０】
（第二の実施形態）
以下、本発明の第二の実施形態に係る集合宿泊施設の概略について、添付図面を参照して説明する。なお、本実施形態において、第一の実施形態に係る集合宿泊施設と同様の構成については、同一の参照符号を付して説明する。
【００６１】
本実施形態に係る集合宿泊施設は、第一の実施形態の場合と同様に、例えば、福祉施設、高齢者施設、集合住宅、社員寮、ビジネスホテル又は病院等の複数の居室を備える建物の一角に、廃棄物処理室が設けられているものである。
【００６２】
本実施形態に係る集合宿泊施設において、廃棄物処理室は、集合宿泊施設の管理者が、居住者の廃棄した汚物、ごみ、生ごみ等の廃棄物を処理するために使用することを前提としている。なお、本実施形態に係る廃棄物処理室は、汚物処理室であるが、これに限定されるものではない。
【００６３】
本実施形態に係る集合宿泊施設は、上下に隣り合う上階部及び下階部と、上階部から下階部に通じる屋外側の外部階段と、を備える。上階部及び下階部には、共通の壁を介して外部階段と隣接された廃棄物処理室が設けられている。
【００６４】
図３及び図４に示すように、本実施形態において、集合宿泊施設は、上下に隣り合う二階部３００（図３を参照のこと）及び一階部４００（図４を参照のこと）と、二階部３００から一階部４００に通じる外部階段５０と、を備える。二階部３００及び一階部４００には、共通の壁Ｗ３を介して外部階段５０と隣接された廃棄物処理室５１，６１が設けられている。
【００６５】
外部階段５０には、廃棄物処理室５１，６１の側の出入り口に、仕切り５０Ｐ，６０Ｐが設けられている。本実施形態において、仕切り５０Ｐ，６０Ｐは、引き戸である。
【００６６】
廃棄物処理室５１，６１には、外部階段５０から出入りする仕切り５１Ｐ，６１Ｐが設けられている。本実施形態において、仕切り５１Ｐ，６１Ｐは、引き戸である。
【００６７】
また、本実施形態において、二階部３００に設けられた廃棄物処理室５１と、一階部４００に設けられた廃棄物処理室６１とは、上下に重複する位置に配置されている。
【００６８】
廃棄物処理室５１，６１は、仕切り５１Ｐ，６１Ｐを有する洗濯室５２，６２と、該洗濯室５２，６２の奥側に設けられた廃棄物置き場５３，６３と、を備える。
【００６９】
本実施形態において、洗濯室５２及び６２には、洗濯機５２ａ，５２ａ及び６２ａ，６２ａと、例えば、おむつや汚物の付着した衣服等を予洗いするための予洗い台５２ｂ，６２ｂ等が設けられている。
【００７０】
本実施形態において、廃棄物置き場５３，６３には、洗濯機５３ａ，６３ａ及び洗い台５３ｂ，６３ｂ等が設けられている。
【００７１】
本実施形態において、洗濯室５２，６２と、廃棄物置き場５３，６３との間には、仕切り５４，６４が設けられている。
【００７２】
また、本実施形態においては、図３に示すように、二階部３００には、外部階段５０と共通の壁Ｗ３を介して、収納庫７０と、収納庫７０に隣接されたトイレ７１と、が設けられている。収納庫７０には、仕切り７０ａが設けられているとともに、トイレ７１には、仕切り７１ａが設けられている。本実施形態において、収納庫７０及びトイレ７１は、共用スペースとしての廊下Ｓに隣接して配置されている。
【００７３】
また、本実施形態においては、図３に示すように、収納庫７０及びトイレ７１に隣接して、浴室７２及び脱衣室８２が設けられている。
【００７４】
浴室７２には、一般的な浴室と同様に、例えば、浴槽７３、洗い場７４、洗面台７５、鏡７６、シャワー（図示せず）、及び洗髪料や洗顔料、石鹸等を置くための台座（図示せず）等が設けられている。
【００７５】
脱衣室８２には、洗面台８３が設けられている。また、脱衣室８２には、例えば、衣服やタオル等の身の回り品を収納する収納箱（図示せず）や、洗髪料や化粧品等の消耗品を収納するための収納棚（図示せず）が設けられてもよい。
【００７６】
また、二階部３００には、廃棄物処理室５１と共通の壁Ｗ４を介して、トイレ９０と、トイレ９０に隣接された倉庫９１と、が設けられている。トイレ９０には、仕切り９０ａが設けられているとともに、倉庫９１には、仕切り９１ａが設けられている。本実施形態において、トイレ９０及び倉庫９１は、共用スペースとしての廊下Ｓに隣接して配置されている。
【００７７】
一階部４００には、二階部３００と同様に、収納庫７０と、収納庫７０に隣接されたトイレ７１と、収納庫７０及びトイレ７１に隣接された浴室７２及び脱衣室８２が設けられている。なお、収納庫７０、トイレ７１、浴室７２及び脱衣室８２については、二階部３００の構成と同様であるため、同一の参照符号を付して説明を繰り返さない。
【００７８】
また、一階部４００には、廃棄物処理室６１と共通の壁Ｗ４を介して、トイレ９０と、トイレ９０に隣接された静養室９２と、が設けられている。トイレ９０には、仕切り９０ａが設けられている。静養室９２には、仕切り９２ａが設けられているとともに、ベッド９３，９３が設けられている。本実施形態において、トイレ９０及び静養室９２は、共用スペースとしての廊下Ｓに隣接して配置されている。
【００７９】
本実施形態において、二階部３００の居室や共用スペースから廃棄物処理室５１に回収された廃棄物は、廃棄される廃棄物の種類によって、例えば、おむつや、汚物の付着した衣服等は、洗濯室５２に運ばれて予洗いされ、予洗いの必要のないゴミ、生ごみ等の他の廃棄物とともに、廃棄物置き場５３に運ばれて一時保管される。
【００８０】
また、一階部４００の居室や共用スペースから廃棄物処理室６１に回収された廃棄物は、二階部３００と同様にして、洗濯室６２及び廃棄物置き場６３に運ばれて一時保管される。
【００８１】
そして、集合宿泊施設の管理者が廃棄物を処理する場合、廃棄物置き場５３に置かれていた廃棄物を、図３に示す矢印の方向に、仕切り５１Ｐを開けて洗濯室５２から運び出し、仕切り５１Ｐを開けて外部階段５０を通って屋外に搬出する。
【００８２】
そして、廃棄物置き場６３に保管されていた廃棄物は、図４に示す矢印の方向に、洗濯室６２に設けられた仕切り６０Ｐを開けて屋外に搬出される。
【００８３】
以上のように、本実施形態に係る集合宿泊施設によれば、外部階段５０と廃棄物処理室５１，６１との距離が最短となるように配置されることができ、廃棄物を処理する際の移動動線を短くするとともに、他の移動動線との交わりを少なくでき、廃棄物の臭気が居住部分へ発散及び充満することを防止できる。
【００８４】
また、廃棄物処理室５１，６１に設けられた仕切り５１Ｐ，６１Ｐによって、廃棄物処理室５１，６１内の廃棄物の臭気が、外部階段５０や居住部分へ発散及び充満することをさらに防止できる。
【００８５】
また、上階部（二階部３００）の廃棄物処理室５１と、下階部（一階部４００）の廃棄物処理室６１とは、上下に重複する位置に配置されていることで、廃棄物処理室５１と廃棄物処理室６１との距離が最短となるように配置されることができ、廃廃棄物を処理する際の移動動線を短くするとともに、他の移動動線との交わりを少なくでき、廃棄物の臭気が居住部分へ発散及び充満することをさらにより一層防止できる。また、廃棄物処理室５１，６１の設計レイアウトが容易となる。
【００８６】
また、廃棄される廃棄物の種類によって、例えば、おむつや、汚物の付着した衣服等は、外部階段５０から仕切り５１Ｐ，６１Ｐを有する洗濯室５２，６２に運ばれて予洗いされ、ゴミ等の他の廃棄物とともに廃棄物置き場５３，６３に運ばれるため、廃棄物処理室５１，６１内の廃棄物の臭気が、居住部分へ発散及び充満することをより一層防止できるとともに、廃棄物処理室５１，６１内が汚染されるのを防ぐことができる。
【００８７】
また、洗濯室５２，６２と廃棄物置き場５３，６３との間に設けられた仕切り５４，６４によって、廃棄物置き場５３，６３に運ばれた廃棄物の臭気が、洗濯室５２，６２や居住部分へ発散及び充満することをさらにより一層防止できるとともに、廃棄物が廃棄物処理室５１，６１の外から視認されにくくなる。
【００８８】
また、福祉施設、高齢者施設、集合住宅、社員寮、ビジネスホテル又は病院等の多様な建物に、上記構成の廃棄物処理室５１，６１を適用することができ、汎用性が高まる。
【００８９】
尚、本発明の集合宿泊施設は、上記第一及び第二の実施形態に限定されるものではなく、本発明の要旨を逸脱しない範囲で適宜変更し得ることは勿論のことである。
【００９０】
上記第一の実施形態において、仕切り１０Ｐ，１１Ｐ，２０Ｐ，２１Ｐ，３０Ｐ，３１Ｐ，３３Ｐとして引き戸が設けられているが、これに限定されるものではなく、例えば、仕切りとして、アコーディオン扉、折戸扉等が設けられてもよい。
【００９１】
上記第一の実施形態において、洗濯室１２及び２２と、廃棄物置き場１３，２３との間には、仕切り１４，２４が設けられているが、これに限定されるものではなく、仕切りは設けられなくてもよい。ただ、廃棄物置き場１３，２３からの廃棄物の臭気が居住部分や共用スペースに発散及び充満するのをさらに防ぐために、仕切りが設けられるのが好ましい。
【００９２】
上記第一の実施形態において、上階部（二階部）１００の廃棄物処理室１１と、下階部（一階部）２００の廃棄物処理室２１とは、上下に重複する位置に配置されているが、これに限定されるものではなく、例えば、廃棄物処理室１１と、廃棄物処理室２１とは、上下に重複しない位置に配置されてもよい。ただ、移動動線を最短にするとともに、他の移動動線との交わりを少なくするために、廃棄物処理室１１と、廃棄物処理室２１とは、上下に重複する位置に配置されているのが好ましい。
【００９３】
なお、上記第一の実施形態において、洗濯室１２，２２及び廃棄物置き場１３，２３の配置及び構成は、これに限定されるものではなく、適宜変更可能である。また、収納庫３０、トイレ３１、エレベータ３２、ポンプ室３３及び廊下Ｓ等の配置及び構成は、これに限定されるものではなく、適宜変更可能である。要は、階段室１０，２０と、廃棄物処理室１１，２１とが、共通の壁を介して隣接されるような構成であればよい。
【００９４】
上記第二の実施形態において、仕切り５０Ｐ，６０Ｐ，５１Ｐ，６１Ｐ，７０Ｐ，７１Ｐ，８２Ｐ，９０Ｐ，９１Ｐ、９２Ｐとして引き戸が設けられているが、これに限定されるものではなく、例えば、仕切りとして、アコーディオン扉、折戸扉等が設けられてもよい。
【００９５】
なお、上記第二の実施形態において、洗濯室５２，６２及び廃棄物置き場５３，６３の配置及び構成は、これに限定されるものではなく、適宜変更可能である。また、収納庫７０、トイレ７１、浴室７２及び脱衣室８２、トイレ９０、倉庫９１、静養室９２及び廊下Ｓの配置及び構成は、これに限定されるものではなく、適宜変更可能である。要は、外部階段５０と、廃棄物処理室５１，６１とが、共通の壁を介して隣接して配置されるような構成であればよい。
【００９６】
上記第二の実施形態において、二階部３００に設けられた廃棄物処理室５１と、一階部４００に設けられた廃棄物処理室６１とは、上下に重複する位置に配置されているが、これに限定されるものではない。例えば、廃棄物処理室５１と、廃棄物処理室６１とは、上下に重複しない位置に配置されてもよい。ただ、移動動線を最短にするとともに、他の移動動線との交わりを少なくするために、上下に重複する位置に配置されているのが好ましい。
【００９７】
上記各実施形態において、集合宿泊施設は、福祉施設、高齢者施設、集合住宅、社員寮、ビジネスホテル又は病院であるが、これに限定されるものではなく、複数の居室の一角に廃棄物処理室を備えるものであればよい。
【産業上の利用可能性】
【００９８】
本発明の集合宿泊施設は、複数の居室を備える建物の一角に廃棄物処理室が設けられている場合に有効に適用される。
【符号の説明】
【００９９】
１０，２０  階段室、１０Ｐ，１１Ｐ，２０Ｐ，２１Ｐ  仕切り、１１，２１  廃棄物処理室、１２，２２  洗濯室、１２ａ，１３ａ，２２ａ，２３ａ  洗濯機、１２ｂ，２２ｂ  予洗い台、１３，２３  廃棄物置き場、１３ｂ，２３ｂ  洗い台、１４，２４  仕切り、３０  収納庫、３１  トイレ、３２  エレベータ、３３  ポンプ室、３０Ｐ，３１Ｐ，３３Ｐ  仕切り、５１，６１  廃棄物処理室、５２，６２  洗濯室、５２ａ，５３ａ，６２ａ，６３ａ  洗濯機、５２ｂ，６２ｂ  予洗い台、５３，６３  廃棄物置き場、５３ｂ，６３ｂ  洗い台、５０Ｐ，６０Ｐ，５１Ｐ，６１Ｐ，５４，６４  仕切り、７０  収納庫、７１，９０  トイレ、７０Ｐ，７１Ｐ，８２Ｐ，９０Ｐ，９１Ｐ，７０ａ，７１ａ，９０ａ，９１ａ，９２ａ  仕切り、Ｓ  廊下（共用スペース）。
【図１】
2016183518.tif 000003
【図２】
2016183518.tif 000004
【図３】
2016183518.tif 000005
【図４】
2016183518.tif 000006